(57)【要約】【課題】給湯空調システムにおいて外気の温度が低い場合でも十分な熱が得られるようにする技術を提供する。【解決手段】給湯空調システム（ＳＳ）は、室外ユニット（１）、室内ユニット（２）、および給湯ユニット（３）を有している。本給湯空調システム（ＳＳ）において室外ユニット（１）はヒートポンプ式である。室外ユニット（１）によって空調用の室内ユニット（２）への熱の供給と給湯用の給湯ユニット（３）への熱の供給とが行われる。そして、室外ユニット（１）と室内ユニット（２）の間を通る冷媒の一部または全部を一時的に給湯ユニットを通して温める。【選択図】図１
2013130344.tif 000002
【特許請求の範囲】
【請求項１】
ヒートポンプ式の室外ユニットによって空調用の室内ユニットへの熱の供給と給湯用の給湯ユニットへの熱の供給とを行う給湯空調システムにおいて、
前記室外ユニットと前記室内ユニットの間を通る冷媒の一部または全部を一時的に前記給湯ユニットを通して温めることを特徴とする給湯空調システム。
【請求項２】
ヒートポンプ式で冷媒に外気の熱を回収する室外ユニットと、
暖房運転時、前記室外ユニットにて熱を回収した冷媒で空気を温める室内ユニットと、
給湯運転時、前記室外ユニットで熱を回収した冷媒で水を加熱する給湯ユニットと、を有し、
前記室内ユニットと前記給湯ユニットの間に冷媒を通す室内ユニット給湯ユニット間配管が設けれている、
請求項１に記載の給湯空調システム。
【請求項３】
暖房運転において前記室内ユニットで熱を奪われた、前記室外ユニットの熱交換器に循環させるべき冷媒の一部またば全部を、前記給湯ユニットの熱交換器に循環させ、給湯運転で加熱した温水、もしくは前記温水で温められた前記給湯ユニットの機器から熱を回収する、請求項２に記載の給湯空調システム。
【請求項４】
外気の温度が所定値以下のときに、前記室外ユニットの熱交換器に循環させるべき冷媒の一部または全部を前記給湯ユニットの熱交換器に循環させる、請求項３に記載の給湯空調システム。
【請求項５】
給湯運転で加熱した温水が利用されているとき、もしくは前記温水を利用するために設定された利用禁止時間帯には、暖房運転において前記室内ユニットで熱を奪われた冷媒の一部またば全部を前記給湯ユニットの熱交換器に循環させることを実施しない、請求項３または４に記載の給湯空調システム。
【請求項６】
暖房運転の開始から所定時間にのみ、暖房運転において前記室内ユニットで熱を奪われた冷媒の一部または全部を前記給湯ユニットの熱交換器に循環させる、請求項３から５のいずれか一項に記載の給湯空調システム。
【請求項７】
暖房運転において前記室外ユニットの熱交換器が冷媒を加熱できる能力に基づいて、前記室外ユニットの熱交換器の代わりに前記給湯ユニットの熱交換器へ循環させる冷媒の量である給湯ユニット循環量を算出し、前記給湯ユニットを循環する冷媒が前記給湯ユニット循環量となるように前記給湯ユニットの弁の開度と前記室外ユニットの弁の開度とを制御する、請求項３から６のいずれか一項に記載の給湯空調システム。
【請求項８】
前記室内ユニットで熱を奪われた冷媒の一部またば全部を、前記室外ユニットの熱交換器の代わりに前記給湯ユニットの熱交換器に循環させて熱を回収する動作を終了した後、前記室外ユニットから前記室内ユニットへ循環させる冷媒の一部を前記給湯ユニットに循環させることにより、暖房運転と並行して給湯運転を行う、請求項３から７のいずれか一項に記載の給湯空調システム。
【請求項９】
暖房運転から冷媒の循環サイクルを逆転させて前記室外ユニットの霜を除去する除霜運転を行うとき、前記室外ユニットで熱を奪われた冷媒の一部または全部を前記室内ユニットの熱交換器の代わりに前記給湯ユニットの熱交換器に循環させ、給湯運転で加熱した温水、もしくは前記温水で温められた前記給湯ユニットの機器から熱を回収し、除霜の熱源として利用する、請求項２に記載の給湯空調システム。
【請求項１０】
暖房運転において前記室内ユニットで熱を奪われた、前記室外ユニットの熱交換器に循環させるべき冷媒の一部またば全部を、前記給湯ユニットの熱交換器に循環させ、給湯運転で加熱した温水、もしくは前記温水で温められた前記給湯ユニットの機器から熱を回収し、
暖房運転から冷媒の循環サイクルを逆転させて前記室外ユニットの霜を除去する除霜運転を行うとき、前記室外ユニットで熱を奪われた冷媒の一部または全部を前記室内ユニットの熱交換器の代わりに前記給湯ユニットの熱交換器に循環させ、給湯運転で加熱した温水、もしくは前記温水で温められた前記給湯ユニットの機器から熱を回収し、
前記暖房運転で前記給湯ユニットの熱交換器に冷媒を循環させるときと、前記除霜運転で前記給湯ユニットの熱交換器に冷媒を循環させるときとで、前記室内ユニット給湯ユニット間配管に逆方向に冷媒を流すことにより、前記室内ユニット給湯ユニット間配管を共用する、請求項２に記載の給湯空調システム。
【請求項１１】
給湯運転で加熱した温水が利用されていても、除霜運転を行うときには、前記室外ユニットで熱を奪われた冷媒の一部もしくは全部を前記給湯ユニットの熱交換器に循環させる、請求項９または１０に記載の給湯空調システム。
【請求項１２】
ヒートポンプ式の室外ユニットによって空調用の室内ユニットへの熱の供給と給湯用の給湯ユニットへの熱の供給とを行う給湯空調システムの制御方法において、
前記室外ユニットと前記室内ユニットの間を通る冷媒の一部または全部を一時的に前記給湯ユニットを通して温めることを特徴とする給湯空調システムの制御方法。
【発明の詳細な説明】
【技術分野】
【０００１】
本発明は、ヒートポンプを給湯と空調の両方に利用する給湯空調システムに関する。
【背景技術】
【０００２】
１台のヒートポンプ式の室外ユニットを空気調和（空調）のための室内ユニットと給湯ユニットの両方に接続し、必要に応じて空調運転と給湯運転を実施するシステムがある（特許文献１参照）。この種のシステムには空調運転と給湯運転のいずれか一方を選択的に実施するだけでなく、空調運転と給湯運転を同時に実施することができるものもある。
【０００３】
この種のシステムは、空調による暖房を主目的として導入されることが多い。そのため、給湯運転によって沸かした温水を床暖房システムやコンベクター等に供給すると共に、空調運転を実施することで、空調による暖房を単独で用いるよりも良好な暖房効果を得ることができる。
【先行技術文献】
【特許文献】
【０００４】
【特許文献１】特開２００５−１４７５２７号公報
【発明の概要】
【発明が解決しようとする課題】
【０００５】
上記のように給湯空調システムは、ヒートポンプ式の室外ユニットで外気より熱を取り出して給湯や空調に利用する。しかし、外気の温度が低い場合、外気から十分な熱を取り出せないことがある。十分な熱が取り出せなければ給湯能力や空調能力が低下する。
【０００６】
給湯運転によって得た温水を利用する床暖房システムやコンベクター等は、運転開始直後から急速な暖房効果を期待されるものではなく、時間をかけて部屋を暖めるものである。そのため、外気の温度が低くても、熱を取り出す能力が少なくとも負荷より勝っていれば、いずれは十分な室内温度の暖房効果を得ることができるので、あまり問題にならない。
【０００７】
一方、空調運転による暖房においては運転開始直後から暖かい空気を吹き出すことが望まれる。しかし、外気の温度が低いと、運転開始直後には吹き出す空気が十分な温度に達しないことがある。その場合、十分な暖房能力が得られず、満足な快適性が得られない。
【０００８】
また給湯空調システムにおいては、暖房運転によって室外ユニットに付いた霜を取り除く除霜運転が適宜行われる。その場合、除霜運転を行った後の空調運転による暖房においても、運転開始直後から高い温度の空気を吹き出すことが好ましい。
【０００９】
しかし、除霜運転によって室内ユニットの温度が下がるので、外気の温度が低く、外気から十分な熱を取り出せない場合、運転開始直後には吹き出す空気が十分な温度に達しないことがある。その場合もやはり十分な暖房能力が得られず、満足な快適性が得られない。
【００１０】
本発明の目的は、給湯空調システムにおいて外気の温度が低い場合でも十分な熱が得られるようにする技術を提供することである。
【課題を解決するための手段】
【００１１】
本発明の一つの実施態様に従う給湯空調システムは、ヒートポンプ式の室外ユニットによって空調用の室内ユニットへの熱の供給と給湯用の給湯ユニットへの熱の供給とを行う給湯空調システムにおいて、前記室外ユニットと前記室内ユニットの間を通る冷媒の一部または全部を一時的に前記給湯ユニットを通して温めることを特徴とする。
【００１２】
また、本給湯空調システムは、ヒートポンプ式で冷媒に外気の熱を回収する室外ユニットと、暖房運転時、前記室外ユニットにて熱を回収した冷媒で空気を温める室内ユニットと、給湯運転時、前記室外ユニットで熱を回収した冷媒で水を加熱する給湯ユニットと、を有し、前記室内ユニットと前記給湯ユニットの間に冷媒を通す室内ユニット給湯ユニット間配管が設けれたものであってもよい。
【００１３】
また本給湯空調システムは、暖房運転において前記室内ユニットで熱を奪われた、前記室外ユニットの熱交換器に循環させるべき冷媒の一部またば全部を、前記給湯ユニットの熱交換器に循環させ、給湯運転で加熱した温水、もしくは前記温水で温められた前記給湯ユニットの機器から熱を回収するものであってもよい。
【００１４】
また、暖房運転から冷媒の循環サイクルを逆転させて前記室外ユニットの霜を除去する除霜運転を行うとき、前記室外ユニットで熱を奪われた冷媒の一部または全部を前記室内ユニットの熱交換器の代わりに前記給湯ユニットの熱交換器に循環させ、給湯運転で加熱した温水、もしくは前記温水で温められた前記給湯ユニットの機器から熱を回収し、除霜の熱源として利用するものであってもよい。
【発明の効果】
【００１５】
本発明によれば、給湯空調システムにおいて外気の温度が低い場合でも十分な熱が得られる。
【図面の簡単な説明】
【００１６】
【図１】本実施形態の給湯空調システムの概略構成を示すブロック図である。
【図２】本実施例による給湯空調システムの構成図である。
【発明を実施するための形態】
【００１７】
本発明の基本的な実施形態について説明する。
【００１８】
図１は、本実施形態の給湯空調システムの概略構成を示すブロック図である。
【００１９】
図１を参照すると、本実施形態の給湯空調システムＳＳは、室外ユニット１、室内ユニット２、および給湯ユニット３を有している。給湯空調システムＳＳは、ヒートポンプ式の室外ユニット１によって空調用の室内ユニット２への熱の供給と給湯用の給湯ユニット３への熱の供給とを行うシステムである。室外ユニット１、室内ユニット２、および給湯ユニット３は、冷媒を介して熱の交換を行う熱交換器をそれぞれ備えている。そして、室外ユニット１と室内ユニット２の間を通る冷媒の一部または全部を一時的に給湯ユニット３を通して温めることができるように構成されている。
【００２０】
具体例としては、暖房運転において室内ユニット２で熱を奪われた、室外ユニット１の熱交換器に循環させるべき冷媒の一部またば全部を、給湯ユニット３の熱交換器に循環させ、給湯運転で加熱した温水、もしくは温水で温められた給湯ユニット３の機器から熱を回収する。
【００２１】
本実施形態の給湯空調システムＳＳによれば、外気の温度が低い場合でも、給湯ユニット３の熱で冷媒を温めることができるので、高い暖房能力を得ることができる。
【００２２】
各部について説明する。
【００２３】
室外ユニット１は、室外に設置され、ヒートポンプ式で冷媒に外気の熱を回収するユニットである。
【００２４】
室内ユニット２は、室内に設置され、空調運転の冷房と暖房の両方に用いられる。室内ユニット２は、暖房運転時には、室外ユニット１にて熱を回収した冷媒で空気を温める。
【００２５】
給湯ユニット３は、給湯運転時、室外ユニット１で熱を回収した冷媒で水を加熱する。
【００２６】
室内ユニット２と給湯ユニット３の間には、冷媒を通す室内ユニット給湯ユニット間配管Ｐが設けれている。室内ユニット給湯ユニット間配管Ｐは、上述したように、室外ユニット１と室内ユニット２の間を通る冷媒の一部または全部を一時的に給湯ユニット３を通して温めるときに冷媒の通路として利用される。
【００２７】
例えば、外気の温度が所定値以下のときに、室外ユニット１の熱交換器に循環させるべき冷媒の一部または全部を一時的に給湯ユニット３の熱交換器に循環させることにしてもよい。これによれば、外気温が低いときに、給湯ユニット３の熱を一時的に利用することにより、暖房効果を上げることができる。
【００２８】
また、給湯運転で加熱した温水が利用されているとき、もしくは温水を利用するために設定された利用禁止時間帯には、暖房運転において室内ユニット２で熱を奪われた冷媒の一部またば全部を給湯ユニット３の熱交換器に循環させることを実施しないことにしてもよい。これによれば、温水が利用されているときには、給湯ユニット３の熱を空調の暖房に転用しないので、空調の転用によって給湯の能力が低下するのを防止することができる。
【００２９】
また、暖房運転の開始から所定時間にのみ、暖房運転において室内ユニット２で熱を奪われた冷媒の一部または全部を給湯ユニット３の熱交換器に循環させることにしてもよい。これによれば、暖房運転の開始直後から良好な暖房効果を得ることが可能になる。
【００３０】
また、暖房運転において、室外ユニット１の熱交換器が冷媒を加熱できる能力を計測しており、その能力の値に基づいて、室外ユニット１の代わりに給湯ユニット３に循環させる冷媒の量（給湯ユニット循環量）を算出し、給湯ユニット３を循環する冷媒が、その給湯ユニット循環量となるように給湯ユニット３の弁の開度と室外ユニット１の弁の開度とを制御することにしてもよい。これによれば、室外ユニット１の補助として必要な分だけ給湯ユニット３の熱を利用するので、必要以上に給湯ユニット３から熱を奪ってしまうことがない。
【００３１】
また、室内ユニット２で熱を奪われた冷媒の一部またば全部を、室外ユニット１の熱交換器の代わりに給湯ユニット３の熱交換器に循環させて熱を回収する動作を終了した後、室外ユニット１から室内ユニット２へ循環させる冷媒の一部を給湯ユニット３に循環させることにより、暖房運転と並行して給湯運転を行ってもよい。これによれば、給湯ユニット３の熱を一時的に利用した後、その分の熱を後から補うことができる。
【００３２】
この種の給湯空調システムＳＳでは、暖房運転によって室外ユニット１に霜がつくので、暖房運転から冷媒の循環サイクルを逆転させて室外ユニット１の霜を除去する除霜運転を定期的に行う。ここでは、除霜運転を行うとき、室外ユニット１で熱を奪われた冷媒の一部または全部を室内ユニット２の熱交換器の代わりに給湯ユニット３の熱交換器に循環させ、給湯運転で加熱した温水、もしくは温水で温められた給湯ユニット３の機器から熱を回収し、除霜の熱源として利用してもよい。これによれば、外気温が低いときに十分な熱源で除霜を効率良く行うことができる。
【００３３】
また、暖房運転で給湯ユニット３の熱交換器に冷媒を循環させるときと、除霜運転で給湯ユニット３の熱交換器に冷媒を循環させるときとで、室内ユニット給湯ユニット間配管Ｐに逆方向に冷媒を流すことにより、その室内ユニット給湯ユニット間配管Ｐを共用することにしてもよい。
【００３４】
また、給湯運転で加熱した温水が利用されていても、除霜運転を行うときには、室外ユニット１で熱を奪われた冷媒の一部もしくは全部を給湯ユニット３の熱交換器に循環させることにしてもよい。一般に除霜運転は一時的かつ短時間なので、温水利用中に除霜運転のための冷媒を給湯ユニット３に循環させても、温水の供給を維持することができる。
【００３５】
次に、より具体的な実施例について説明する。
【００３６】
図２は、本実施例による給湯空調システムの構成図である。給湯空調システムＳＳは、室外ユニット１、室内ユニット２、給湯ユニット３、貯湯タンク４、および床暖房システム５から構成されている。
【００３７】
室外ユニット１と室内ユニット２は吐出ガス配管３５で接続され、室外ユニット１と給湯ユニット３はガス配管３６で接続されている。また、室外ユニット１、室内ユニット２、給湯ユニット３は液配管３７で接続されている。吐出ガス配管３５、ガス配管３６、液配管３７は冷媒を通す配管である。また、給湯ユニット３、貯湯タンク４、および床暖房システム５は水配管３９で接続されている。
【００３８】
給湯ユニット３からの温水は、水配管３９を通り、三方弁２９により切り替えられて、貯湯タンク４と床暖房システム５のどちらかに供給される。
【００３９】
室外ユニット１は圧縮機６、アキュームレータ７、四方弁８、室外熱交換器９、室外ファン１０、室外膨張弁１１、電磁弁Ａ１２、電磁弁Ｂ１３、室外吸込センサ１４、吐出ガス阻止弁１５、ガス阻止弁１６、および液阻止弁１７で構成される。室外吸込センサ１４は外気温度を測定するセンサである。外気から十分な熱を取り出せるかどうかは、外気温度から判断できる。
【００４０】
室内ユニット２は、室内膨張弁１８、室内ユニット熱交換器１９、室内ファン２０、室内吸込空気温度センサ２１、および室内吹出空気温度センサ２２で構成される。室内吸込空気温度センサ２１は、室内の温度を測定するセンサである。室内温度と設定温度から、どれだけの空調能力が必要かを判断することができる。室内吹出空気温度センサ２２は、室内ユニット２から吹き出している空気の温度を測定するセンサである。吹き出している空気の温度から、どれだけの空調能力が発揮されているかを知ることができる。
【００４１】
給湯ユニット３は、給湯ユニット膨張弁２３、給湯ユニット熱交換器２４、給湯ユニット電気ヒータ２５、水ポンプ２６、出口水温センサ２７、および入口水温センサ２８で構成される。
【００４２】
貯湯タンク４は貯湯タンク熱交換器３０、貯湯タンク電気ヒータ３１、および貯湯タンク水温センサ３２で構成される。
【００４３】
床暖房システム５は、床暖房コイル３３、床暖房温度センサ３４、および室温センサ３８で構成される。
【００４４】
まず、通常の暖房運転について説明する。
【００４５】
暖房運転時、圧縮機６から吐出されたガス冷媒は、四方弁８を通り、ガス阻止弁１６より室外ユニット１の外へ出て、ガス配管３６を通り、室内ユニット２へ供給される。ガス冷媒は、更に、室内ユニット熱交換器１９を通り、室内ファン２０により供給された室内の空気により熱交換が行われ、凝縮する。冷媒は、更に室内膨張弁１８を通過して室内ユニット２から出て、液配管３７を通って、液阻止弁１７より室外ユニット１へ戻る。
【００４６】
液冷媒は室外膨張弁１１で膨張され、室外ファン１０により供給される室外空気より熱をもらって蒸発する。冷媒は、更に四方弁８を通過した後、アキュームレータ７を介して圧縮機６へ戻る。
【００４７】
外気温度が低い場合は、室外の空気より取出せる熱量が少ないため、暖房能力が低下し、十分な暖房能力を確保できなくなる。
【００４８】
次に、給湯ユニット３の熱を利用した暖房運転について説明する。
【００４９】
圧縮機６から吐出されたガス冷媒は、四方弁８を通り、ガス阻止弁１６より室外ユニット１の外へ出て、ガス配管３６を通り、室内ユニット２へ供給される。
【００５０】
ガス冷媒は、室内ユニット熱交換器１９を通り、室内ファン２０により供給された室内空気により熱交換が行われて凝縮する。冷媒は、更に室内膨張弁１８を通過して、室内ユニット２から液配管３７に出る。
【００５１】
通常の暖房運転では、この後、液冷媒を全て液阻止弁１７より室外ユニット１に戻したが、ここでは、電磁弁Ｂ１３を開にすることにより、液冷媒の一部もしくは全部を給湯ユニット３へ送る。
【００５２】
給湯ユニット３へ供給された液冷媒は、給湯ユニット膨張弁２３で膨張され、給湯ユニット熱交換器２４にて温水から熱をもらい、吐出ガス配管３５を通り、吐出ガス阻止弁１５より室外ユニット１へ戻る。
【００５３】
このとき、水ポンプ２６を運転し、給湯ユニット熱交換器２４へ常に温水が供給されるように制御する。その際、三方弁２９の操作により、貯湯タンク４の中の温水を給湯ユニット熱交換器２４に供給しても良いし、床暖房システム５から温水を給湯ユニット熱交換器２４に供給してもよい。
【００５４】
室外ユニット１に戻ったガス冷媒は、電磁弁Ｂ１３を通ってアキュームレータ７を介して圧縮機６へ戻る。
【００５５】
このとき、室外膨張弁１１で膨張され、室外熱交換器９で熱を奪い、四方弁８を通ってアキュームレータ７に戻ってくるガス冷媒があれば、電磁弁Ｂ１３を通ってアキュームレータ７へ戻るガス冷媒は、それと合流する。
【００５６】
通常の暖房運転が温度の低い室外空気から熱を貰ったのに対して、ここでは、冷媒の一部もしくは全部が給湯ユニット３にて温水から熱を貰っているので、外気温度が低い場合の暖房運転においても、外気温度が低くない時の運転と同等以上の熱が得られる。
【００５７】
この効果により、暖房能力のアップによる快適性の向上が期待できる。
【００５８】
＜貯湯タンク４の熱を利用する場合＞
給湯運転にて沸かした貯湯タンク４内の温水はシャワー等の生活熱水として供給されるものであるため、暖房運転において温水の利用を継続すると水温が低下し、貯湯タンク４内の温水の生活熱水としての利用が困難になる。
【００５９】
そこで、本実施例では、貯湯タンク４の水温の設定を高めにして、高めの温度の温水を沸かしておき、貯湯タンク水温センサ３２によって水温の低下をチェックし、予め設定した利用下限水温まで低下した場合や、生活熱水を使用している場合には、暖房運転での温水の利用を中断する。
【００６０】
また、暖房運転への温水の利用を暖房を開始した直後の立上げ時や温水を生活熱水として利用しない時間帯に限定するというように、時間を限定することで、貯湯タンク４内の温水の利用に影響が出るのを防止することができる。
【００６１】
また、暖房運転に温水を利用するときに、貯湯タンク電気ヒータ３１を運転するという制適用することにより、過度な水温低下の防止も可能である。
【００６２】
また、室外膨張弁１１と給湯ユニット膨張弁２３の開度比率を調整し、室内ユニット２からの液冷媒のうち給湯ユニット３への分配量を低減することで、水温低下の度合を抑えることも可能である。
【００６３】
また、室内ユニット２における室内吸込空気温度センサ２１で検出される室内の空気の温度や、室内吹出空気温度センサ２２で検出される室内に吹き出される空気の温度から空調の負荷を判定し、判定結果に基づいて、給湯ユニット３への分配量を調整したり、暖房運転における温水利用を中断したりすることで、貯湯タンク４内の水温が過度に低下するのを防止する制御も可能である。
【００６４】
また、水温が過度に低下してしまった場合に、その後の暖房空調運転において、ガス冷媒の一部を電磁弁Ａ１２を通して吐出ガス阻止弁１５より給湯ユニット３へ供給する制御を適用したり、貯湯タンク電気ヒータ３１を利用したりすることにより、温水を少しずつ加熱するという制御も可能である。また生活熱水を使用するまでに十分時間がある場合、積極的に温水を利用することも可能である。
【００６５】
＜床暖房システム５等の熱を利用する場合＞
暖房の空調運転において床暖房システム５やコンベクター（不図示）類の熱を利用する場合、給湯ユニット３で熱を奪われた水が、床暖房システム５、コンベクター、あるいは床面の熱を奪って、再び給湯ユニット３へ供給される。しかし、床暖房システム５の暖房では送風を利用しない、床暖房システム５等から熱が奪われることが直ちに室温に影響を与えることはない。
【００６６】
ただし、床面の温度が過度に低下しないように、床暖房温度センサ３４等で床面温度を計測し、室温センサ３８で室温を計測し、計測結果に応じて、必要があれば、暖房の空調運転における温水の利用を中断するような制御を適用してもよい。床面温度や室温の計測結果に応じて、給湯ユニット電気ヒータ２５を運転する制御することで、水温および床面温度の低下を防止することも可能である。
【００６７】
また、水温が低下してしまった場合でも、その後の空調運転において、冷媒ガスの一部を電磁弁Ａ１２を通し、吐出ガス阻止弁１５より給湯ユニット３へ供給することにより、水へ熱を補充することが可能である。
【００６８】
次に、給湯ユニット３の熱を利用した除霜運転について説明する。
【００６９】
一般的な空調システムの除霜運転では、液冷媒を室内ユニットに循環させて蒸発させることにより室内の空気から熱をもらったり、室内熱交換機やガス配管より熱を貰うことで、除霜のための熱源を確保している。
【００７０】
本実施例においては、室内ユニット２に循環させていた液冷媒の一部もしくは全てを給湯ユニット３に送る。冷媒は、給湯ユニット膨張弁２３で膨張され、給湯ユニット熱交換器２４にて温水より熱をもらい、吐出ガス配管３５を通って吐出ガス阻止弁１５より室外ユニット１へ戻る。冷媒は、更に電磁弁Ｂ１３を通り、アキュームレータ７を介して圧縮機６へ戻る。そして、圧縮機６で加熱圧縮されたガス冷媒が四方弁８を通って室外熱交換器９へ流れる。そのガス冷媒が凝縮する際に放出する熱で、室外熱交換器９に着霜した霜を融かす。
【００７１】
上述した一般的な除霜運転と異なり、本実施例の除霜運転においては、除霜のための熱を熱容量の大きな温水からもらう為、室内ユニットの空気のみから熱をもらう場合と比較すると、除霜にかかる時間が短縮でき、また除霜後の暖房運転の立上り特性が良好であり、快適な暖房空調が実現できる。
【００７２】
また、本実施例では、暖房の空調運転において温水の熱を利用するときに冷媒を通した経路と同じ経路に除霜運転時の冷媒を通すので、温水を利用した暖房運転と同一の冷凍サイクル回路で除霜運転も実現できる。
【００７３】
また、本実施例の制御を実施した場合、貯湯タンク４内の水温が低下したり、床暖房システム５やコンベクターへ供給する温水の温度が低下したりすることが懸念されるが、除霜自体が短時間に限定された運転動作なので、水温の低下で直ちに影響がでることは無い。したがって、給湯運転によって加熱された温水を生活熱水として利用している時であっても、本実施例の除霜運転は実施することができる。
【００７４】
また、温水を利用した除霜を実施しているときに、給湯ユニット電気ヒータ２５を運転する制御を適用することで、温水の低下を小さくすることも可能である。
【００７５】
上述した本発明の実施形態および実施例は、本発明の説明のための例示であり、本発明の範囲をそれらの実施形態や実施例にのみ限定する趣旨ではない。当業者は、本発明の要旨を逸脱することなしに、他の様々な態様で本発明を実施することができる。
【符号の説明】
【００７６】
１…室外ユニット、１０…室外ファン、１１…室外膨張弁、１２…電磁弁Ａ、１３…電磁弁Ｂ、１４…室外吸込センサ、１５…吐出ガス阻止弁、１６…ガス阻止弁、１７…液阻止弁、１８…室内膨張弁、１９…室内ユニット熱交換器、２…室内ユニット、２０…室内ファン、２１…室内吸込空気温度センサ、２２…室内吹出空気温度センサ、２３…給湯ユニット膨張弁、２４…給湯ユニット熱交換器、２５…給湯ユニット電気ヒータ、２６…水ポンプ、２７…出口水温センサ、２８…入口水温センサ、２９…三方弁、３…給湯ユニット、３０…貯湯タンク熱交換器、３１…貯湯タンク電気ヒータ、３２…貯湯タンク水温センサ、３３…床暖房コイル、３４…床暖房温度センサ、３５…吐出ガス配管、３６…ガス配管、３７…液配管、３８…室温センサ、３９…水配管、４…貯湯タンク、５…床暖房システム、６…圧縮機、７…アキュームレータ、８…四方弁、９…室外熱交換器
【図１】
2013130344.tif 000003
【図２】
2013130344.tif 000004